(57)【特許請求の範囲】
【請求項１】
一定の大きさのパネル外周に枠体と支持脚を設け、そのパネルの任意部に貫通する大小複数の挿入孔を施し、さらにそのパネル裏面における各挿入孔の下部位にそれぞれ水容器を位置固定させるとともに、その裏面の一部または全体を開閉自在な覆い部材でカバーして成る屏風体において、前記したパネル裏面を、上下の枠体間の中間部位に複数本の保持具付き棚板またはフックを設けて形成し、前記水容器を該保持具で支持するかまたはフックに掛け吊して位置固定するように構成したことを特徴とする花が生けられる屏風。
【発明の詳細な説明】
【０００１】
【発明が属する技術分野】
本発明は、生の草花が生けられる花器機能と趣のあるインテリア要素をあわせもつ屏風に関する。
【０００２】
【従来の技術】
従来、部屋の中に置いて人目を避けるために用いたり、部屋の仕切りなどを目的とする家具として屏風や衝立などが知られている。それらの一般的な形態としては、まず屏風は二枚ないし４枚のパネル体それぞれをヒンジ連結して折たたみできるものである。他方、衝立は一枚パネル状の下部に支持足を備えた形を成す家具であり、加えてそれぞれの表面又は両面には、風景や花鳥など様々な絵を表示して仕切り機能に装飾効果を持たせた仕切り家具である。これらの屏風や衝立は、日本的な家屋に馴染むものとして生れた古くからある家具の一つであるが、近年増えてきている洋風家屋には多少馴染みにくいせいか利用されることも少なくなっているが、その効果や機能は未だ捨て難い魅力を持つ家具である。
【０００３】
一方、公知公開されている技術の中にも新しい仕切り家具としての屏風や衝立がある。その一例を示すと、実開平６−２１５号に示す衝立の技術があり、この衝立は貼付部や上中下の装飾板などを有する大小三枚のパネル体を蝶番で連結した表面側に、花瓶などを置くことができる装飾板を複数箇所に水平に備えた構成とした衝立である。使用する際は通常の仕切り家具としての衝立機能に加えて、前記装飾板の上に花瓶を置いて花を飾ることで、斬新な実用性や装飾性をあわせもつ衝立を目的としたものも見られる。
【０００４】
【発明が解決しようとする課題】
以上のような様々な屏風や衝立などがあり、それぞれ目的とする仕切り機能に装飾効果をもつ家具である。しかし前述したように近年の家屋形態が洋風化するにしたがい、古くからあるものや新しい技術を含めて次に示すような不便や欠点があった。
まず、古くからある屏風や衝立においては、今では芸術品もしくは骨董価値があるほどの古き良き家具になりつつあるが、一方、現代の家屋に置いて本来の使用目的である装飾仕切り家具として使うについては、室内のインテリアにマッチしにくく、また都会に多いマンションなどのように狭いスペースでは、単なる仕切り家具として使うには広さの点で使いにくいなどの不便があり、ゆとりをもって使用できるには広いスペースをもつ家庭に限られるなどの欠点もある。
【０００５】
他方、公知公開される衝立はそれらの不便や欠点を改良して現代の家屋でもマッチすることを目的とした仕切り家具であるが、この技術における衝立でも次のような不便や欠点がある。衝立は複数の貼付部や装飾板を有する三枚のパネルで成るものを、蝶番で連結した屏風様を成すものの表側二か所に、花瓶や置物など置ける水平の装飾板を構成した衝立であり、確かに仕切り機能のほかに花を差した花瓶や花器など飾れる装飾機能もある。しかしながらこの衝立を使用する際は一々三枚のパネル板で成るものや水平の装飾板を組み立てたり、また花を差したり生けた花瓶や花器をそのつどセットしなければならないなどの手間を要する。
【０００６】
さらに花瓶などが置かれる装飾板は狭いにも関わらず、それらの花器の支えがないので落下しやすい上、目に付くので花器などもインテリアなどとマッチするものを選ばないとかえって室内の雰囲気を損ねるなどの結果をもたらす。加えて三枚のパネルで成る衝立表面には焼物部などの表示方法のみで、従来に見られる風景や花鳥などのような風流な装飾表示ではないので、限られた装飾効果しか得られず、多様性を求める現代のニーズにそぐわないこととあわせて構造の複雑さによるコスト高要因など含む仕切り家具である。
【０００７】
【課題を解決するための手段】
本発明は以上のような従来の屏風や衝立がもつ不便や欠点を解消して、現代の家屋にマッチし、かつ多様な好みにも対応できる屏風や衝立（以下、衝立も屏風と同じものとして説明する）等の仕切り家具を提供するために、まず屏風体は、一定の大きさのパネルの周囲に厚さが約５〜６センチくらい厚い枠板を形成した下部に支持脚を備えた屏風体を形成し、かつその屏風体の表面板には装飾絵とともに大小複数の挿入孔を設け、さらに裏面には、水容器を置ける保持具付き棚板や、水容器を掛け吊すためのフックを取り付け、またパネルの裏面を覆う引き戸などの覆い部材を備えた屏風体とすることにより、使用する際は、水容器を棚板の保持具内に位置させるか、またはフックに掛け吊した上でパネル表面の挿入孔に草花を差し入れると、装飾絵とともに美しく花を飾れる屏風を提供する。
【０００８】
【発明の実施の形態】
この発明に於ける屏風体１，１ａ，１ｂは、いずれのタイプも一定の厚さを成す枠体２の裏面に、複数本の棚板６に設けた保持具１２部位の上部パネル３面に、花を差し入れられる挿入孔１０を複数個設けた屏風体１を形成しているので、使用する際は、裏面の覆い部材８を開けてから棚板６面の保持具１２に水を入れた水容器１１を納めた上で、パネル３の表面側より生の花Ａを差し入れると、屏風体１のパネル３面に表示される装飾絵１３とともに、美しく花Ａを生けられる装飾屏風体１を成すことが可能である。
【０００９】
実施例１に於ける屏風体１は、４枚のパネル３が横並びに連接された面に装飾絵１３を表示した他の余白部に、任意個数の挿入孔１０を設けた部分に花Ａを挿入すると、花Ａの茎は裏面の棚板６に位置する水容器１１に差し入れることができるので、生の草花でも枯らすことなく美しく飾れる花器機能を合わせもつ屏風体１である。
【００１０】
実施例２の屏風体１ａは衝立様を成す一枚タイプであり、かつ支持脚４は着脱方式であるのでコンパクトに収納できる。また裏面の覆い部材８は観音開きタイプのように扉１５がヒンジ１６連結形成しているので、一度に全面開放することと水容器１１のセットや取り替えもしやすい。
【００１１】
実施例３に示す屏風体１ｂは、単独に形成された二枚のパネル３面がヒンジ１６連結されたものであるので、コンパクトに折たたむことができることに加え、屏風体１ｂはつづら折り状態で立てられるので、他の実施例に設けたような支持脚４が無くても安定して立てられる。さらに裏面に設ける水容器１１はフック１８に掛けて吊す方式であるので、屏風体１ｂが多少傾いても水容器１１が落下する心配はなく、また棚板６は不要であるのでよりシンプルである。加えて覆い部材８はカーテン１７を採用しているので、開け閉めしやすい屏風体１ｂである。
【００１２】
【実施例】
実施例１
本発明の実施例１を図１に示す屏風体の表面斜視図、図２に示す屏風体裏面の斜視図及び図３に示す屏風体裏面の引き戸を取り外した状態を示す斜視図、図４の花を生けた状態を示す拡大縦断面図を参照して説明する。
この発明の屏風体１は、縦横が約１８０×２８０センチの矩形状で、厚さ約６センチ程度の枠体２を成し、かつその枠体２の内側には４枚のパネル３，３が横並びに連接して成る前記枠体２の下部に支持脚４を左右に設ける。次に、この屏風体１の裏面は、任意に分割して成る複数本の支持板５で縦区画し、かつその区画部の上下の枠体間における中間部位に複数本の棚板６を形成し、また枠体２の上下端部に溝穴７，７を設け、その溝孔７には覆い部材８となる二枚の引き戸９，９を納めて屏風体１の基本形態を成す。さらに前記した複数本の棚板６の少し上部位に相当するパネル３面には、草木や花Ａを差し込める大小複数の挿入孔１０，１０を施し、かつその挿入孔１０に対応する棚板６には、花Ａを差し入れる水容器１１を支持する保持具１２をそれぞれに設ける。加えて屏風体１のパネル３，３の表面には、風景や花鳥などの装飾絵１３を表示して、実施例１の花が生けられる屏風を構成している。なお下部の枠体２にも水容器１１を配置する場合は、図３に示すように、その部分にも保持具１２を設けておくものとする。
【００１３】
実施例１を示す屏風体１は一定の寸法を示しているが、全体の大きさはもとより縦横の比率も特に限定されないし、また枠板２下部に設ける支持脚４も固定しているが、回転もしくは着脱いずれでもよい。
【００１４】
実施例２
実施例２の屏風体を図５に示す表面斜視図と図６に示す屏風体に花を生けた状態の裏面開放斜視図を参照して説明する。
実施例２の屏風体１ａは衝立状を成す一枚状の形態を成すものであり、まず四角ないし長方形状を成すパネル３の外周に枠体２を設けた下部に、嵌合溝穴１４付き支持脚４二本を左右に着脱自在に嵌込んだ屏風体１を形成し、かつその裏面には、前記実施例と同様に複数本の支持板５及び保持具１２付き棚板６を設けた枠体２に、二枚の扉１５，１５をヒンジ１６連結して成る観音開きタイプの覆い部材８を設ける。さらにパネル３の表面には、前記棚板６の保持具１２に対応する上部位に複数個の挿入孔１０，１０と、他の余白部に装飾絵１３を施して実施例２の花が生けられる屏風を構成する。
【００１５】
本実施例に於ける屏風体１ａの枠板２に設ける支持脚４は、溝穴７付き支持脚４を着脱自在に嵌込んで成るが、固定や回転方式でも構わない。また覆い部材８は観音開き様の扉１５であるが、実施例１と同様の引き戸９タイプでもよい。
【００１６】
実施例３
実施例３の屏風体を図７に示す裏面開放斜視図を参照して説明する。
本実施例に示す屏風体１ｂは、前記した実施例と少し異なりパネル３面が二つに折たためるタイプである。まず縦長状のパネル３に枠体２を設けたものが単独に形成したもの二つが、ヒンジ１６連結して開閉自在に折たためる屏風体１ｂを成し、かつパネル３面には前記同様に挿入孔１０を任意個数を設け、さらにそのパネル３の裏面には、前記挿入孔１０の裏部位に設けたフック１８に水容器１１を掛け吊した裏面に、覆い部材８となるカーテン１７を備えて本実施例の花が生けられる屏風を構成している。
【００１７】
本実施例に於ける屏風体１ｂは二枚のパネル３，３体がヒンジ１６連結されて折たためるものを図示しているが、４枚をヒンジ連結したタイプでもよいし、支持足４を備えたものでもよい。またパネル３の表面側は示していないが、前記実施例同様に装飾絵１３を施しているが省略している。
【００１８】
本発明による各実施例は以上のような形態を成しているが、パネル３面に施す挿入孔１０の数や位置は任意でよく、またその面に表示する装飾絵１３以外に、和紙などによるちぎり絵や美しい布地などを張ったものなど装飾方法は自由である。加えて各実施例を構成する形態や部材は、他の実施例に組み合わせてもよい。さらにパネル３の裏面に設ける覆い部材８は、いずれも全体を覆うタイプであるが、挿入孔１０から水容器１１部位のみ覆う形であってもよく、いずれも特に限定されるものではない。
【００１９】
【発明の効果】
この発明による屏風は以上のような構成としているので、次のような効果や長所を提供するものである。
まず屏風（衝立も含む）は外見的には通常より厚いが、一般的に見られる屏風と同様の形態を成すとともに、風景や花鳥など表示した装飾性を有する仕切り機能を持つ家具であるが、さらにそのパネル表面の任意箇所には複数個の挿入孔を施し、かつその裏面には、前記した挿入孔に対応する水入り容器が備えられた構成を成す屏風や衝立であるので、使用する際は裏面の覆い部材を開けてから水容器をセットした上で、表面側に設けた挿入孔に装飾絵や室内の雰囲気にマッチする草花を差し入れると、装飾絵との相乗効果により、ひときわ立体的な雰囲気や趣をかもしだすことができる、従来に見られないユニークな仕切り家具となる屏風や衝立を提供することができる。
【００２０】
また生の草花を生けられるにも関わらず、裏面には水入り容器がセットできるので花を枯らす心配もなく美しく長く飾ることができる。またその裏面には覆い部材として引き戸や扉、カーテンなどで覆われているので、例え裏側をお客様が見ることがあっても見苦しくない。加えて屏風の形態も大きな４枚パネル連接タイプから衝立、折たたみなど様々あるので部屋に合う好みのものを選ぶこともできるので、一般家庭はもとよりホテルや企業、病院などの公共的な場所を含めて、いずれの場所や目的にも応えられる美しさと機能性ある屏風である。
【図面の簡単な説明】
【図１】本発明の実施例１を示す屏風体の斜視図。
【図２】実施例１の屏風体を示す裏面斜視図。
【図３】実施例１の屏風体の引き戸を取り外した状態を示す斜視図。
【図４】実施例１の屏風体に花を生けた状態を示す拡大縦断面図。
【図５】実施例２を示す屏風体の表面斜視図。
【図６】実施例２の屏風体に花を生けた状態を示す裏面開放斜視図。
【図７】実施例３の屏風体を示す裏面開放斜視図。
【符号の説明】
１・・・屏風体
２・・・枠体
３・・・パネル
４・・・支持脚
５・・・支持板
６・・・棚板
７・・・溝穴
８・・・覆い部材
９・・・引き戸
１０・・挿入孔
１１・・水容器
１２・・保持具
１３・・装飾絵
１４・・嵌合溝穴
１５・・扉
１６・・ヒンジ
１７・・カーテン
１８・・フック
Ａ・・・花
【図１】
0004172004.tif 000002
【図２】
0004172004.tif 000003
【図３】
0004172004.tif 000004
【図４】
0004172004.tif 000005
【図５】
0004172004.tif 000006
【図６】
0004172004.tif 000007
【図７】
0004172004.tif 000008